Podtech/llm-jp-corpus-v4-ja_patent huggingface dataset:
【手続補正書】
【提出日】平成17年3月10日(2005.3.10)
【手続補正１】
【補正対象書類名】特許請求の範囲
【補正対象項目名】全文
【補正方法】変更
【補正の内容】
【特許請求の範囲】
【請求項１】
体外からの高密度焦点式超音波（ＨＩＦＵ）を使用する治療装置であって、ＨＩＦＵを生成するＨＩＦＵ源（１）、およびその駆動回路と、処置する対象を探索し、超音波変換器の焦点に対象を移動させる位置決定システムであって、医学画像システム、患者用載架デバイス（２）、および、ＨＩＦＵ源（１）に対して載架デバイス（２）の空間移動を引き起こす変位システムを含む該位置決定システムと、ＨＩＦＵに適合された超音波を伝送媒体を介して患者の体内に伝送する、高強度超音波送信器および伝送媒体用処理システムと、ＨＩＦＵ源（１）の放射面の正面で伝送媒体を受け取る容器と、伝送媒体を充填し、放出し、処理する手段とを含み、ＨＩＦＵ源（１）は、超音波源支持手段（１３）に支持されることにより、患者用載架デバイス（２）の上に配置されて、上方取付超音波源を形成する装置。
【請求項２】
医学画像システムが、Ｂ−モード・ウルトラソノスコープである、請求項１に記載の体外ＨＩＦＵ治療装置。
【請求項３】
伝送媒体が、脱気水である、請求項１に記載の体外ＨＩＦＵ治療装置。
【請求項４】
伝送媒体用容器が、水袋（１８）である、請求項１に記載の体外ＨＩＦＵ治療装置。
【請求項５】
上方取付超音波源（１）が、超音波源支持手段（１３）に回転可能に取り付けられ、超音波源支持手段（１３）を、上下に移動することができ、それによって、上方取付超音波源（１）を、軸ＸおよびＹのそれぞれの周りで回転させ、軸Ｚに沿って上下に移動することができるように変位システムが構成される、請求項１乃至４のいずれか１項に記載の体外ＨＩＦＵ治療装置。
【請求項６】
上方取付超音波源（１）が、支持枠（１４）によって、垂直方向の支持手段（１３）に水平方向に支持され、軸Ｙの周りで回転可能であるように、上方取付超音波源（１）が超音波源支持手段（１３）に回転可能に取り付けられ、支持枠（１４）に、軸Ｘの周りで回転可能な旋回軸（１５）が設けられ、上方取付超音波源（１）が、旋回軸によって軸Ｘの周りで回転可能であり、さらに、超音波源支持手段（１３）が、ネジ−ナット構成物であり、それによって、上方取付超音波源（１）が、軸Ｚに沿って上下に移動可能である、請求項５に記載の体外ＨＩＦＵ治療装置。
【請求項７】
変位システムにおいて、患者用載架デバイス（２）にネジ−ナット構成物（２１）が設けられ、それによって、載架デバイスが、横方向（Ｓ）および縦方向（Ｌ）に移動することができ、載架デバイスに歯車機構（２２）が設けられ、それによって、載架デバイスを、縦軸Ｌの周りで回転することができる、請求項１に記載の体外ＨＩＦＵ治療装置。
【請求項８】
体外ＨＩＦＵ治療装置が、患者用載架デバイス（２）の下で位置決めされた下方取付超音波源（５）をさらに含み、伝送媒体用容器が、下方取付超音波源（５）の上に設けられ、下方取付超音波源（５）に面する載架デバイス２の一部が着脱可能である、請求項１に記載の体外ＨＩＦＵ治療装置。
【請求項９】
伝送媒体用容器が、開放型水タンク（４）である、請求項８に記載の体外ＨＩＦＵ治療装置。
【請求項１０】
処置を受ける時、患者が座ることのできる座枠（３）をさらに含む、請求項８に記載の体外ＨＩＦＵ治療装置。
【請求項１１】
変位システムで、超音波源支持手段（１３）が、軸Ｚの周りで回転可能なスリーブとして構成することができて、それによって、上方取付超音波源（１）が、軸Ｚの周りで回転可能である、請求項８乃至１０のいずれか１項に記載の体外ＨＩＦＵ治療装置。
【請求項１２】
変位システムで、下方取付超音波源（５）が、上下に移動可能な超音波源支持手段（１３）に回転可能に取り付けられ、それによって、下方取付超音波源（５）が、軸ＸおよびＹのそれぞれの周りで回転可能であり、軸Ｚに沿って上下に移動可能である、請求項８乃至１０のいずれか１項に記載の体外ＨＩＦＵ治療装置。
【請求項１３】
下方取付超音波源（５）が、支持枠（１３）によって、垂直方向の超音波源支持手段（１３）に水平方向に支持され、軸Ｙの周りで回転可能である形に、下方取付超音波源（５）が超音波源支持手段（１３）に回転可能に取り付けられ、支持枠（１３）に、軸Ｘの周りで回転可能な旋回軸（２４）が設けられ、下方取付超音波源（５）が、旋回軸（２４）によって軸Ｘの周りで回転可能であり、さらに、超音波源支持手段（１３）が、ネジ−ナット構成物であり、それによって、下方取付超音波源（５）が、軸Ｚに沿って上下に移動可能である、請求項１２に記載の体外ＨＩＦＵ治療装置。
【手続補正書】
【提出日】平成17年4月5日(2005.4.5)
【手続補正１】
【補正対象書類名】特許請求の範囲
【補正対象項目名】全文
【補正方法】変更
【補正の内容】
【特許請求の範囲】
【請求項１】
生汚泥が中温性温度範囲内の温度で予め決められた培養期間に培養される病原体減少ステージを備え、上記汚泥が培養される生汚泥を受け入れる上流側容器と、培養された汚泥を排出する下流側容器とを備えた複数のシーケンス容器内で培養され、汚泥が、上流側容器から中間容器を介して下流側容器に供給され、続いて各容器内で予め決められた滞留時間費やした後、排出され、全滞留時間が上記予め決められた培養期間である下水汚泥処理方法。
【請求項２】
上記上流側容器が、そしてこの上流側容器のみが中温性温度範囲内の温度まで生汚泥の温度を上昇させるように加熱される請求項１に記載の方法。
【請求項３】
上記上流側容器の下流側の上記或いは各容器が中温性温度範囲内の温度に汚泥を維持するように断熱されている請求項２に記載の方法。
【請求項４】
上記上流側及び下流側容器、及び少なくとも一つの中間容器を含み、少なくとも三つの順次的な容器がある請求項１から３のいずれか１項に記載の方法。
【請求項５】
汚泥が上記容器の各々における滞留時間の少なくとも一部の間攪拌される請求項１から４のいずれか１項に記載の方法。
【請求項６】
上記汚泥が、適宜ガス混合ノズル、或いはこの種の他のものを介して上記各容器への圧縮ガスの供給により攪拌される請求項５に記載の方法。
【請求項７】
上記圧縮ガスが、汚泥処理プロセスにより生成されるバイオガスである請求項６に記載の方法。
【請求項８】
上記汚泥が、圧縮ガスを動力源とするガスリフトポンプを用いて、一容器から次の容器に移送され、上記下流側容器から排出される請求項１から７のいずれか１項に記載の方法。
【請求項９】
上記圧縮ガスが、汚泥処理プロセスにより生成されるバイオガスである請求項８に記載の方法。
【請求項１０】
各容器が、さらなる汚泥で満たされる前の各滞留時間の間、その容器内に保持されてきた汚泥を少なくとも部分的に空にされる請求項１から９のいずれか１項に記載の方法。
【請求項１１】
各容器が、さらなる汚泥で満たされる前の各滞留時間の間、その容器内に保持されてきた汚泥を完全に空にされる請求項１から９のいずれか１項に記載の方法。
【請求項１２】
汚泥が、連続的かつ順にいずれかの中間容器を介して上記上流側容器から上記下流側容器に移送される請求項１から９のいずれか１項に記載の方法。
【請求項１３】
上記容器が、嫌気性状態下に維持される請求項１から１２のいずれか１項に記載の方法。
【請求項１４】
上記病原体減少ステージの下流側の消化ステージをさらに備え、上記下流側容器から排出された培養汚泥が上記消化ステージに直接供給される請求項１から１３のいずれか１項に記載の方法。
【請求項１５】
上記消化ステージが、適宜リアクター容器における中温性嫌気性消化を含む請求項１４に記載の方法。
【請求項１６】
バイオガスが、上記培養容器から流出させられ、中温性嫌気性消化器、或いは別個のガス保持容器に供給される請求項１５に記載の方法。
【請求項１７】
生汚泥を受け入れるための上流側容器、及び培養された汚泥を排出するための下流側容器を含み、予め決められた期間、中温性温度範囲内の温度で生汚泥を培養する複数の汚泥培養容器と、培養容器内に滞留中、汚泥を加熱し、それを上記範囲内の温度に維持する手段と、続いて汚泥を中間容器を介して上記上流側容器から上記下流側容器に移動させるための手段とを備え、各容器内での汚泥各部の滞留時間の合計が上記予め決められた期間である下水汚泥処理装置。
【請求項１８】
上記上流側容器内だけに汚泥を加熱する加熱手段を備え、上記下流側、及びいずれかの中間容器が、汚泥を、それが上記上流側容器から上記下流側容器に通過する際、上記温度範囲内に維持するために断熱されている請求項１７に記載の装置。
【請求項１９】
上記上流側及び下流側容器、及び少なくとも一つの中間容器を含み、少なくとも三つの順次的な培養容器を備えた請求項１７または１８に記載の装置。
【請求項２０】
各容器に、上記各容器内に汚泥が滞留している時間の少なくとも一部の間、汚泥を攪拌する手段が設けられた請求項１７から１９のいずれか１項に記載の装置。
【請求項２１】
上記攪拌手段が、各容器内の汚泥に圧縮ガスを吹き込む圧縮ガス流入口を備えた請求項２０に記載の装置。
【請求項２２】
上記圧縮ガス流入口が、汚泥処理プロセスにより生成されたバイオガスを受け入れる請求項２１に記載の装置。
【請求項２３】
汚泥を移送する上記手段が、圧縮ガスを駆動源とするガスリフトポンプを含む請求項１７から２２のいずれか１項に記載の装置。
【請求項２４】
上記圧縮ガスが、汚泥処理プロセスにより生成されるバイオガスである請求項２３に記載の装置。
【請求項２５】
汚泥を移送するための上記手段が、上記各容器がさらなる汚泥で満たされるのに先立って各容器の汚泥を少なくとも部分的に空にする請求項１７から２４のいずれか１項に記載の装置。
【請求項２６】
汚泥を移送するための上記手段が、上記各容器がさらなる汚泥で満たされるのに先立って各容器の汚泥を完全に空にする請求項１７から２４のいずれか１項に記載の装置。
【請求項２７】
汚泥を移送するための上記手段が、汚泥を連続的かつ順にいずれかの中間容器を介して上記上流側容器から上記下流側容器に移送する請求項１７から２４のいずれか１項に記載の装置。
【請求項２８】
上記下流側容器から上記培養された汚泥を受け入れる消化リアクターをさらに備えた請求項１７から２７のいずれか１項に記載の装置。
【請求項２９】
上記消化器が、中温性嫌気性消化器である請求項２８に記載の装置。
【請求項３０】
上記培養容器の各々からバイオガスを流出させ、それを上記下流側消化器に送り出す手段を備えた請求項２９に記載の装置。
【誤訳訂正書】
【提出日】平成16年12月24日(2004.12.24)
【誤訳訂正１】
【訂正対象書類名】明細書
【訂正対象項目名】０００３
【訂正方法】変更
【訂正の内容】
【０００３】
多くの機械加工作業において、エンドミルの性能は、切刃のセレーション（ｓｅｒｒａｔｉｏｎ）によって改良されることが知られている。この種のカッターは、工具のカタログに記載されており、いつでも手に入る。しかしながら、前記セレーションの最適の形態には関心が払われてこなかった。共通の形態は正弦波形であり、形態の一つが、螺旋状ブレード挿入カッターを開示するウェールの米国特許第４，７６４，０５９号に記載されている。短ピッチセレーションが、ニシムラの米国特許第５，１９３，９４４号に開示された刻み付き切削工具にみられる。
正弦波形形状は、理論的には直線状区分が全くないが、実際には、１８０°点にある小さな部分がほぼ直線状である。従って、平らな面と出会ったとき、正弦波形と平らな表面との間の接触が一つの点に集中する。このような接触により、平らな表面が硬質の加工物であってエンドミル歯の切刃に正弦波形が設けられている場合、極めて大きな圧力が発生する。この点接触は、この種の切削工具の寿命を短くする原因であると結論付けるのが合理的である。
【特許文献１】米国特許第４，７６４，０５９号
【特許文献２】米国特許第５，１９３，９４４号
【誤訳訂正２】
【訂正対象書類名】図面
【訂正対象項目名】図２
【訂正方法】変更
【訂正の内容】
【図２】
2005507787.tif 000001
【手続補正書】
【提出日】平成17年4月28日(2005.4.28)
【手続補正１】
【補正対象書類名】特許請求の範囲
【補正対象項目名】全文
【補正方法】変更
【補正の内容】
【特許請求の範囲】
【請求項１】
複数種類の熱可塑性合成ポリマーを別々に溶融させ、別々の溶融ポリマー流れとして押し出す工程と、
前記別々の溶融ポリマー流れの各々を別々のコートハンガーマニホールドに分配して、前記ポリマーのそれぞれで別々の平面状溶融ポリマー流れを形成する工程と、
次に、別々のフィルターに前記別々の平面状溶融ポリマー流れを通過させて、前記平面状溶融ポリマー流れをろ過する工程と、
前記フィルターから流出した前記ろ過した別々の平面状溶融ポリマー流れを紡糸口金内部の合流マニホールドに通して多層平面状溶融ポリマー流れを形成する工程と、
前記多層平面状溶融ポリマー流れを複数の紡糸口金出口孔に供給して通過させて多層フィラメントを形成する工程と、
前記複数の紡糸口金孔に近接して配置された流体ジェットから放出される流体によって、前記多層フィラメントが前記複数の紡糸口金出口孔を出るときに前記多層フィラメント
を繊維化する工程と
を含む、複数種類の熱可塑性合成ポリマーから複数の多層フィラメントを製造する方法。
【請求項２】
複数種類の熱可塑性合成ポリマーを別々に溶融させ、溶融ポリマー流れとして押し出す複数の押出機と、
メルトブロービームであって、
前記押出機の下流にあり前記押出機と連絡する別々のコートハンガー分配マニホールドと、
前記メルトブロービームの下流にあり前記メルトブロービームの長さ方向に実質的に延在し前記コートハンガー分配マニホールドと連絡する別々のフィルターと、
紡糸口金であって、前記別々のろ過された平面状溶融ポリマー流れを多層平面状溶融ポリマー流れとして合流させるための、前記フィルターの下流に合流通路を有し前記フィルターと連絡する合流マニホールドと、複数の紡糸口金出口孔とを含み、前記合流通路は前記フィルターの長さ方向に延在し前記フィルターから出ている紡糸口金と、
前記紡糸口金出口孔に近接して配置された流体ジェットと、
を含むメルトブロービームと
を含む、複数種類の熱可塑性合成ポリマーから複数の多層フィラメントを紡糸する装置。
【請求項３】
複数種類の熱可塑性合成ポリマーから複数の多層フィラメントを形成するためのメルトブロービームであって、各ポリマーの別々のコートハンガー分配マニホールドとそれぞれ連絡する複数のポリマー入口通路と、前記メルトブロービームの下流にあり前記メルトブロービームの長さ方向に実質的に延在し各コートハンガー分配マニホールドと連絡する別々のフィルターと、紡糸口金であって、前記別々のフィルターから出た前記別々のろ過された平面状溶融ポリマー流れを多層平面状溶融ポリマー流れとして合流させるための、前記フィルターの下流にあり前記フィルターと連絡する合流マニホールドを含み、前記合流マニホールドは前記フィルターの長さ方向に延在する前記合流通路を有し、前記合流マニホールドの下流にあり前記合流マニホールドと連絡する複数の紡糸口金出口孔と、前記紡糸口金出口孔に近接して配置された流体ジェットとを含むメルトブロービーム。
【手続補正２】
【補正対象書類名】明細書
【補正対象項目名】００３２
【補正方法】変更
【補正の内容】
【００３２】
平面状溶融ポリマー流れをろ過することによって、紡糸口金出口孔の詰まりが実質的に
解消され、それによって形成される不織ウェブの均一性が増大し、紡糸システムの使用可
能時間が延長される。
本発明の好適な実施の態様は次のとおりである。
１．複数種類の熱可塑性合成ポリマーを別々に溶融させ、別々の溶融ポリマー流れとして押し出す工程と、
前記別々の溶融ポリマー流れの各々を別々のコートハンガーマニホールドに分配して、前記ポリマーのそれぞれで別々の平面状溶融ポリマー流れを形成する工程と、
次に、別々のフィルターに前記別々の平面状溶融ポリマー流れを通過させて、前記平面状溶融ポリマー流れをろ過する工程と、
前記フィルターから流出した前記ろ過した別々の平面状溶融ポリマー流れを紡糸口金内部の合流マニホールドに通して多層平面状溶融ポリマー流れを形成する工程と、
前記多層平面状溶融ポリマー流れを複数の紡糸口金出口孔に供給して通過させて多層フィラメントを形成する工程と、
前記複数の紡糸口金孔に近接して配置された流体ジェットから放出される流体によって、前記多層フィラメントが前記複数の紡糸口金出口孔を出るときに前記多層フィラメント
を繊維化する工程と
を含む、複数種類の熱可塑性合成ポリマーから複数の多層フィラメントを製造する方法。
２．複数種類の熱可塑性合成ポリマーの種類数が２である上記１に記載の方法。
３．複数種類の熱可塑性合成ポリマーの種類数が３以上である上記１に記載の方法。
４．複数種類の熱可塑性合成ポリマーを別々に溶融させ、溶融ポリマー流れとして押し出す複数の押出機と、
メルトブロービームであって、
前記押出機の下流にあり前記押出機と連絡する別々のコートハンガー分配マニホールドと、
前記メルトブロービームの下流にあり前記メルトブロービームの長さ方向に実質的に延在し前記コートハンガー分配マニホールドと連絡する別々のフィルターと、
紡糸口金であって、前記別々のろ過された平面状溶融ポリマー流れを多層平面状溶融ポリマー流れとして合流させるための、前記フィルターの下流に合流通路を有し前記フィルターと連絡する合流マニホールドと、複数の紡糸口金出口孔とを含み、前記合流通路は前記フィルターの長さ方向に延在し前記フィルターから出ている紡糸口金と、
前記紡糸口金出口孔に近接して配置された流体ジェットと、
を含むメルトブロービームと
を含む、複数種類の熱可塑性合成ポリマーから複数の多層フィラメントを紡糸する装置。
５．２種類の熱可塑性合成ポリマー用に構成される上記４に記載の装置。
６．３種類以上の熱可塑性合成ポリマー用に構成される上記４に記載の装置。
７．複数種類の熱可塑性合成ポリマーから複数の多層フィラメントを形成するためのメルトブロービームであって、各ポリマーの別々のコートハンガー分配マニホールドとそれぞれ連絡する複数のポリマー入口通路と、前記メルトブロービームの下流にあり前記メルトブロービームの長さ方向に実質的に延在し各コートハンガー分配マニホールドと連絡する別々のフィルターと、紡糸口金であって、前記別々のフィルターから出た前記別々のろ過された平面状溶融ポリマー流れを多層平面状溶融ポリマー流れとして合流させるための、前記フィルターの下流にあり前記フィルターと連絡する合流マニホールドを含み、前記合流マニホールドは前記フィルターの長さ方向に延在する前記合流通路を有し、前記合流マニホールドの下流にあり前記合流マニホールドと連絡する複数の紡糸口金出口孔と、前記紡糸口金出口孔に近接して配置された流体ジェットとを含むメルトブロービーム。
【手続補正書】
【提出日】平成16年8月3日(2004.8.3)
【手続補正１】
【補正対象書類名】特許請求の範囲
【補正対象項目名】全文
【補正方法】変更
【補正の内容】
【特許請求の範囲】
【請求項１】
化粧品上又は製薬上許容される基剤中に、多糖を少なくとも含む付着阻止成分、皮脂減少成分、ホーレンマッシュルーム（ｈｏｅｌｅｎ  ｍｕｓｈｒｏｏｍ）抽出物を少なくとも含む抗炎症成分、及び抗刺激成分を、抗ざ瘡有効量にて含む、局所用組み合わせ組成物。
【請求項２】
上記多糖が約０．０５〜約１０．０％の量で存在し、上記皮脂減少成分が約０．０５〜約５．０％の量で存在し、上記ホーレンマッシュルーム抽出物が約０．０１〜約２．０％の量で存在し、そして上記抗刺激成分が約０．１〜約５．０％の量で存在する、請求項１に記載の組成物。
【請求項３】
上記抗刺激成分が、ショ糖、フィトスフィンゴシン、緑茶抽出物、ヒノキチオール、ヤギ目サンゴ虫（ｇｏｒｇｏｎｉａｎ）抽出物、シアリル糖及びそれらの組み合わせからなる群から選択される、請求項１に記載の組成物。
【請求項４】
上記抗刺激成分が約０．２〜約１．０％のショ糖、約０．０５〜約０．２％のシアリル糖、及び約０．１〜約０．５％のフィトスフィンゴシンを含む、請求項３に記載の組成物。
【請求項５】
多糖を少なくとも含む付着阻止成分、ホーレンマッシュルーム抽出物を少なくとも含む抗炎症成分、抗刺激成分、及び皮脂減少成分を抗ざ瘡有効量にて含む、過酸化ベンゾイル不含組成物。
【請求項６】
上記抗刺激成分が、ショ糖、シアリル糖の組み合わせであり、かつフィトスフィンゴシンをさらに含む、請求項５に記載の組成物。
【請求項７】
上記多糖が約０．０５〜約１０．０％の量で存在し、上記皮脂減少成分が約０．００１〜約０．０５％の量で存在し、上記ホーレンマッシュルーム抽出物が約０．０１〜約２．０％の量で存在し、そして上記抗刺激成分が約０．２〜１．０％の量のショ糖を含み、かつ０．１〜０．５％のフィトスフィンゴシンをさらに含む、請求項５に記載の組成物。
【請求項８】
スクラレオリド成分、少なくともピジウム抽出物を含む皮脂減少成分、多糖を少なくとも含む付着阻止成分、ショ糖を少なくとも含む抗刺激成分、シアリル糖、フィトスフィンゴシン及びホーレンマッシュルーム抽出物を少なくとも含む抗炎症成分を、有効量にて含む組成物であって、皮膚のざ瘡状態を、その皮膚に該組成物を適用することによって治療するために使用される、前記組成物。
【請求項９】
ざ瘡に対する治療を施された皮膚における刺激症及び炎症を、その皮膚に局所適用することによって低減するために使用される、請求項１〜８のいずれか１項に記載の組成物。
【請求項１０】
ざ瘡状態と関連する皮膚における面ぽうの出現を、その皮膚に局所適用することによって予防するために使用される、請求項１〜８のいずれか１項に記載の組成物。
【請求項１１】
スクラレオリド成分をさらに含む、請求項１に記載の組成物。
【請求項１２】
スクラレオリドをさらに含む、請求項５に記載の組成物。
【手続補正書】
【提出日】平成16年10月28日(2004.10.28)
【手続補正１】
【補正対象書類名】特許請求の範囲
【補正対象項目名】全文
【補正方法】変更
【補正の内容】
【特許請求の範囲】
【請求項１】
樹枝状ポリマー内に封入された、抗新生物剤の白金、チタン、バナジウム、ニオブ、モリブデン、レニウム又は錫金属含有類似化合物からなる群から選ばれる、抗新生物剤を含んでなる抗新生物性樹枝状ポリマー複合体。
【請求項２】
前記抗新生物剤が同一又は異なる２個のアミン配位子の窒素原子に結合した４価白金原子を有する化合物であり、前記アミン配位子が互いに関してシス配置である請求項１に記載の抗新生物性樹枝状ポリマー複合体。
【請求項３】
前記抗新生物剤がシスプラチン、カルボプラチン、オキサリプラチン、テラプラチン、白金−ＤＡＣＨ、オラマプラチン、チタノセンジクロリド、バナドセンジクロリド、ニオボセンジクロリド、モリブデノセンジクロリド、レノセンジクロリド、ジオルガノ錫ジハライド又は他の金属含有抗新生物剤である請求項１に記載の抗新生物性樹枝状ポリマー複合体。
【請求項４】
前記抗新生物剤がプラチン系類似体である請求項１又は３に記載の抗新生物性樹枝状ポリマー複合体。
【請求項５】
前記のプラチン系類似体がシスプラチン又はカルボプラチンである請求項４に記載の抗新生物性樹枝状ポリマー複合体。
【請求項６】
前記抗新生物剤がリンカーによって樹枝状ポリマーの表面に結合している請求項１に記載の抗新生物性樹枝状ポリマー複合体。
【請求項７】
樹枝状ポリマーに対する前記プラチン系類似体のモル比が１００：１〜１：１である請求項４に記載の抗新生物性樹枝状ポリマー複合体。
【請求項８】
デンドリマーに対する前記プラチン系類似体のモル比が３５：１である請求項７に記載の抗新生物性樹枝状ポリマー複合体。
【請求項９】
前記樹枝状ポリマーがカルボン酸末端基を含む請求項１に記載の抗新生物性樹枝状ポリマー。
【請求項１０】
前記樹枝状ポリマーがデンドリマーである請求項１、３、５、６又は９に記載の抗新生物性樹枝状ポリマー複合体。
【請求項１１】
前記デンドリマーがポリ（アミドアミン）又はポリ（プロピレンイミン）デンドリマーである請求項１又は９に記載の抗新生物性樹枝状ポリマー複合体。
【請求項１２】
前記デンドリマーが世代３．５〜７．５のポリ（アミドアミン）デンドリマーである請求項１１に記載の抗新生物性樹枝状ポリマー複合体。
【請求項１３】
適当な溶媒中において抗新生物剤に接近可能であり且つ前記抗新生物剤と相互作用できる官能基を有する樹枝状ポリマーを準備し；
抗新生物剤を樹枝状ポリマーと結合させるのに充分な条件下で適当な溶媒中において樹枝状ポリマーを抗新生物剤と接触させ；そして
樹枝状ポリマー内部に封入させるのに充分な時間抗新生物剤を放置させることを含んでなる抗新生物性樹枝状ポリマー複合体の調製方法。
【請求項１４】
前記新生物剤がプラチン系類似体である請求項１３に記載の方法。
【請求項１５】
前記のプラチン系類似体がシスプラチン又はカルボプラチンである請求項１４に記載の方法。
【請求項１６】
前記樹枝状ポリマーがデンドリマーである請求項１３〜１５のいずれか１項に記載の方法。
【請求項１７】
前記樹枝状ポリマーがポリ（アミドアミン）又はポリ（プロピレンイミン）デンドリマーである請求項１６に記載の方法。
【請求項１８】
前記陰イオン末端官能基がカルボン酸である請求項１３に記載の方法。
【請求項１９】
前記樹枝状ポリマーを水に溶解し、水に溶解した抗新生物剤と接触させる請求項１３に記載の方法。
【請求項２０】
前記抗新生物剤がプラチン系類似体であり、複合体中の樹枝状ポリマーに対するモル比が１００：１〜１：１である請求項１３に記載の方法。
【請求項２１】
複合体中における、樹枝状ポリマーに対するプラチン系類似体のモル比が３５：１である請求項２０に記載の方法。
【請求項２２】
前記のプラチン系類似体がシスプラチン又はカルボプラチンである請求項２０又は２１に記載の方法。
【手続補正書】
【提出日】平成16年11月18日(2004.11.18)
【手続補正１】
【補正対象書類名】特許請求の範囲
【補正対象項目名】全文
【補正方法】変更
【補正の内容】
【特許請求の範囲】
【請求項１】
以下の一般式Iの化合物を
【化１】
2005507936.tif 000001
以下の一般式IIのフェニルプロパノールアミン塩から
【化２】
2005507936.tif 000002
以下の一般式IIIの中間化合物を介して製造する方法であって、
【化３】
2005507936.tif 000003
（式中、R1は、水素又は低級アルキル基を表し；
それぞれR2は、独立して、水素、ハロゲン、低級アルキル基、低級アルコキシ基、1つ〜5つのハロゲンにより置換された低級アルキル基、1つ〜5つのハロゲンにより置換された低級アルコキシ基を表すか、又は、両方のR2が隣接する炭素上にある場合、一緒になって-O(CH2)XO-を構成し（式中、Xは1〜4を表す）、それにより、フェニル基に縮合した環構造を形成し；
R3は、炭素数1〜8のアルキル基、炭素数1〜12のアラルキル基、炭素数1〜12のアルカリール基又はフェニル基を表し、それぞれ所望により、ハロゲン、ヒドロキシ又は炭素数1〜6のアルキル基から選ばれる1つ〜5つの置換基により置換されていてもよく；また、
HXは、等価の有機又は無機酸を表す。）
その方法が、
(a)  一般式IIのフェニルプロパノールアミン塩を、溶媒中、高温で、アシル化剤でアシル化し、一般式IIIで表されるO-アシル化フェニルプロパノールアミン塩を含有する反応混合物を製造する工程であって、上記アミン塩が結晶化溶媒の添加により単離され得るか、或いは、この混合物が次の工程に使用され得る上記工程；及び
(b)  触媒の存在下、O-アシル化フェニルプロパノールアミン塩を水素化して一般式Iの化合物を製造する工程
を含むことを特徴とする、上記方法。
【請求項２】
アシル化剤が、酢酸無水物、塩化アセチル、プロピオン酸無水物、塩化プロピオニル、酪酸無水物及び塩化ブチリルからなる群より選ばれる、請求項１に記載の方法。
【請求項３】
HXが、フッ化水素酸、塩酸、臭化水素酸、ヨウ化水素酸、硫酸、リン酸、硝酸、ギ酸、酢酸、プロピオン酸、安息香酸、酒石酸、コハク酸、シュウ酸、アスパラギン酸、糖酸、及びリンゴ酸からなる群より選ばれる、請求項１に記載の方法。
【請求項４】
一般式Iの化合物が、アンフェタミンである、請求項１に記載の方法。
【請求項５】
アンフェタミンがd,l-アンフェタミンである、請求項４に記載の方法。
【請求項６】
アンフェタミンが、S-(+)-アンフェタミンである、請求項４に記載の方法。
【請求項７】
アンフェタミンが、R-(-)-アンフェタミンである、請求項４に記載の方法。
【請求項８】
一般式Iの化合物が、メタンフェタミンである、請求項１に記載の方法。
【請求項９】
メタンフェタミンが、S-(+)-メタンフェタミンである、請求項８に記載の方法。
【請求項１０】
メタンフェタミンが、R-(-)-メタンフェタミンである、請求項８に記載の方法。
【請求項１１】
水素化工程(b)が、貴金属触媒による接触水素化を使用して行われる、請求項１に記載の方法。
【請求項１２】
水素化工程(b)が、水素化剤による接触移動水素化を使用して行われる、請求項１に記載の方法。
【請求項１３】
接触移動水素化が、貴金属触媒を使用して行われる、請求項１２に記載の方法。
【請求項１４】
フェニルプロパノールアミン塩が、1R,2S-(-)-ノルエフェドリン、1S,2S-(+)-ノルプソイドエフェドリン、1R,2S-(-)-エフェドリン及び1S,2S-(+)-プソイドエフェドリンからなる群より選ばれる、請求項１に記載の方法。
【請求項１５】
一般式Iの化合物が、S-(+)-メタンフェタミンであり、フェニルプロパノールアミン塩が、1R,2S-(-)-エフェドリン及び1S,2S-(+)-プソイドエフェドリンからなる群より選ばれる、請求項１に記載の方法。
【請求項１６】
フェニルプロパノールアミン塩が、フェニルプロパノールアミン遊離塩基から製造される、請求項１に記載の方法。
【請求項１７】
フェニルプロパノールアミン塩が、フェニルプロパノールアミンと、フッ化水素酸、塩酸、臭化水素酸、ヨウ化水素酸、硫酸、リン酸、硝酸、ギ酸、酢酸、プロピオン酸、安息香酸、酒石酸、コハク酸、シュウ酸、リンゴ酸、アスパラギン酸及び糖酸からなる群より選ばれる酸との塩である、請求項１に記載の方法。
【請求項１８】
フェニルプロパノールアミン塩が、フェニルプロパノールアミンと、カルボン酸、ジカルボン酸及びトリカルボン酸からなる群より選ばれる酸との塩である、請求項１に記載の方法。
【請求項１９】
フェニルプロパノールアミン塩が、フェニルプロパノールアミンと塩酸との塩である、請求項１に記載の方法。
【請求項２０】
アンフェタミンの製造に有用な以下の一般式IIIのO-アシル化フェニルプロパノールアミン塩を、
【化４】
2005507936.tif 000004
以下の一般式IIのフェニルプロパノールアミン塩から製造する方法であって、
【化５】
2005507936.tif 000005
（式中、R1は、水素又は低級アルキル基を表し；
それぞれのR2は、独立して、水素、ハロゲン、低級アルキル基、低級アルコキシ基、1つ〜5つのハロゲンにより置換された低級アルキル基、1つ〜5つのハロゲンにより置換された低級アルコキシ基を表すか、又は、両方のR2が一緒になって-O(CH2)XO-を構成し（式中、Xは1〜4を表す）、それにより、フェニル基に縮合した環構造を形成し；
R3は、炭素数1〜8のアルキル基、炭素数1〜12のアラルキル基、炭素数1〜12のアルカリール基、又はフェニル基を表し、それぞれ所望により、ハロゲン、ヒドロキシ、又は炭素数1〜6のアルキル基から選ばれる1つ〜5つの置換基により置換されており、また、
HXは、等価の有機又は無機酸を表す。）
その方法が、フェニルプロパノールアミン塩を、アシル化剤でアシル化し、O-アシル化フェニルプロパノールアミン塩を含有する反応混合物を製造する工程を含むことを特徴とする、上記方法。
【請求項２１】
以下の一般式Iの化合物を、
【化６】
2005507936.tif 000006
以下の一般式IIIのO-アシル化フェニルプロパノールアミン塩から製造する方法であって、
【化７】
2005507936.tif 000007
（式中、R1は、水素又は低級アルキル基を表し；
それぞれのR2は、独立して、水素、ハロゲン、低級アルキル基、低級アルコキシ基、1つ〜5つのハロゲンにより置換された低級アルキル基、1つ〜5つのハロゲンにより置換された低級アルコキシ基を表すか、又は、両方のR2が一緒になって-O(CH2)XO-を構成し（式中、Xは1〜4を表す）、それにより、フェニル基に縮合した環構造を形成し；
R3は、炭素数1〜8のアルキル基、炭素数1〜12のアラルキル基、炭素数1〜12のアルカリール基又はフェニル基を表し、それぞれ所望により、ハロゲン、ヒドロキシ又は炭素数1〜6のアルキルから選ばれる1つ〜5つの置換基により置換されており、また、
HXは、等価の有機又は無機酸を表す。）
その方法が、O-アシル化フェニルプロパノールアミン塩を水素化して、一般式Iの化合物を製造する工程を含むことを特徴とする、上記方法。
【手続補正書】
【提出日】平成16年4月14日(2004.4.14)
【手続補正１】
【補正対象書類名】特許請求の範囲
【補正対象項目名】全文
【補正方法】変更
【補正の内容】
【特許請求の範囲】
【請求項１】
遊離または塩の形態の式Ｉ：
【化１】
2005507947.tif 000001
［式中、
Ｒ１は炭素原子１個〜１０個を有する１価芳香族基であり；そして
Ｒ２は環炭素原子１個〜８個を有するシクロ脂肪族基である］
で示される化合物。
【請求項２】
Ｒ１がシアノ、ハロゲン、カルボキシまたはアミノカルボニルから選択される置換基１個または２個で置換されており、そして所望によりＣ１〜Ｃ８−アルコキシで置換されていてもよいフェニルであるか、または、Ｒ１がＣ１〜Ｃ４−アルコキシ、ヒドロキシまたはＣ１〜Ｃ４−アルキルチオで置換されたフェニルであり；そして
Ｒ２が所望によりＣ１〜Ｃ４−アルキル、カルボキシ、Ｃ１〜Ｃ８−アルコキシカルボニルまたはアミノカルボニルから選択される置換基少なくとも１個で置換されていてもよいＣ３〜Ｃ８−シクロアルキルである；
請求項１に記載の化合物。
【請求項３】
Ｒ１がナフチリジン環のメタ位がシアノ、ハロゲン、カルボキシまたはアミノカルボニルから選択される置換基１個または２個で置換されており、そして所望によりナフチリジン環のオルト位がＣ１〜Ｃ４−アルコキシで置換されていてもよいフェニルであるか、またはＲ１がナフチリジン環のメタ位がＣ１〜Ｃ４−アルコキシで置換されたフェニルであり；そして
Ｒ２が所望によりカルボキシおよびＣ１〜Ｃ４−アルコキシカルボニルから選択される置換基少なくとも１個で置換されていてもよいＣ５〜Ｃ７−シクロアルキルである；
請求項１または２に記載の化合物。
【請求項４】
Ｒ１が所望によりハロ、シアノ、Ｃ１〜Ｃ８−アルキル、Ｃ１〜Ｃ８−アルキルチオ、−ＳＯ−Ｃ１〜Ｃ８−アルキル、Ｃ１〜Ｃ８−アルコキシおよびＣ１〜Ｃ８−ハロアルコキシから構成される群から選択される置換基１個、２個または３個で置換されていてもよいフェニルであるか、または環原子３個〜８個を持ち、その１個〜４個が炭素原子、１個〜４個がヘテロ原子であることができるヘテロ環と融合したフェニルであり；そして
Ｒ２が所望によりカルボキシおよびカルボキシ−Ｃ１〜Ｃ８−アルコキシから構成される群から選択される置換基少なくとも１個で置換されていてもよいＣ３〜Ｃ８−シクロアルキルである；
請求項１に記載の化合物。
【請求項５】
Ｒ１が所望によりハロ、シアノ、Ｃ１〜Ｃ４−アルキル、Ｃ１〜Ｃ４−アルキルチオ、−ＳＯ−Ｃ１〜Ｃ４−アルキル、Ｃ１〜Ｃ４−アルコキシおよびＣ１〜Ｃ４−ハロアルコキシから構成される群から選択される置換基１個、２個または３個で置換されていてもよいフェニルであるか、または環原子５個〜６個を持ち、その１個〜４個が炭素原子、１個〜２個がヘテロ原子であることができるヘテロ環と融合したフェニルであり；そして
Ｒ２が所望によりカルボキシおよびカルボキシ−Ｃ１〜Ｃ４−アルコキシから構成される群から選択される置換基少なくとも１個で置換されていてもよいＣ５〜Ｃ７−シクロアルキルである；
請求項１に記載の化合物。
【請求項６】
４−［８−（３−シアノ−フェニル）−［１，７］ナフチリジン−６−イル］−シクロヘキサンカルボン酸エチルエステル、４−［８−（３−シアノ−フェニル）−［１，７］ナフチリジン−６−イル］−シクロヘキサンカルボン酸、４−［８−（３−シアノ−フェニル）−［１，７］ナフチリジン−６−イル］−シクロヘキサン−カルボン酸カリウム塩、４−［８−（３−カルバモイル−フェニル）−［１，７］ナフチリジン−６−イル］−シクロ−ヘキサンカルボン酸、３−［６−（４−カルボキシ−シクロヘキシル）−［１，７］ナフチリジン−８−イル］−安息香酸、４−［８−（５−フルオロ−２−メトキシ−フェニル）−［１，７］ナフチリジン−６−イル］−シクロヘキサンカルボン酸エチルエステル、４−［８−（５−フルオロ−２−メトキシ−フェニル）−［１，７］ナフチリジン−６−イル］−シクロヘキサンカルボン酸または４−［８−（５−フルオロ−２−メトキシ−フェニル）−［１，７］ナフチリジン−６−イル］−シクロヘキサンカルボン酸ナトリウム塩；である請求項１、２および３のいずれかに記載の化合物。
【請求項７】
Ｒ１およびＲ２が次表：
【表１】
2005507947.tif 000002
【表２】
2005507947.tif 000003
に記載の通りである請求項１に記載の化合物。
【請求項８】
抗炎症剤、気管支拡張剤、抗ヒスタミン剤または免疫抑制剤である別の医薬と組み合わせられた、請求項１〜７のいずれかに記載の化合物。
【請求項９】
医薬的に許容される希釈剤または担体とともに、請求項１〜７のいずれかに記載の化合物を含んでなるＰＤＥ４が介在する病状を処置するための医薬組成物。
【請求項１０】
遊離または塩の形態の式Ｉの化合物の製造方法であって、
（ｉ）
（Ａ）所望により保護された形態であってもよい式ＩＩ：
【化２】
2005507947.tif 000004
［式中、
Ｒ１は前記の通りであり；そして
Ｌは脱離原子または脱離基である］
で示される化合物を、所望により保護された形態であってもよい式ＩＩＩ：
Ｘ−Ｒ２    ＩＩＩ
［式中、
Ｒ２は前記の通りであり；そして
Ｘは式ＩＩのＬ基とＲ２とナフチリジン環との間に直接結合を形成させる反応性のある脱離原子または脱離基である］
で示される化合物と反応させて、続いて、必要ならば脱保護するか；または
（Ｂ）式Ｉ
［式中、Ｒ２はＣ１〜Ｃ８−アルコキシカルボニル基で置換されたシクロアルキルである］で示される化合物を反応させてアルコキシカルボニル基をカルボキシ基に変換すること；および
（ｉｉ）生成物を遊離または塩の形態で回収すること；
を含んでなる製法。
【手続補正書】
【提出日】平成17年1月27日(2005.1.27)
【手続補正１】
【補正対象書類名】特許請求の範囲
【補正対象項目名】全文
【補正方法】変更
【補正の内容】
【特許請求の範囲】
【請求項１】
洗浄剤を適用することを含む、気相反応器の洗浄方法であって、前記洗浄剤が５〜１０個の炭素原子と２個以下の水素原子とを有する液体フッ素化ケトンを含む方法。
【請求項２】
前記洗浄剤がヒドロフルオロカーボン、ヒドロクロロフルオロカーボン、ペルフルオロカーボン、ペルフルオロポリエーテル、ヒドロフルオロエーテル、ヒドロフルオロポリエーテル、ヒドロクロロフルオロエーテル、フッ素化芳香族化合物、クロロフルオロカーボン、ブロモフルオロカーボン、ブロモクロロフルオロカーボン、ヒドロブロモカーボン、ヨードフルオロカーボン及びヒドロブロモフルオロカーボン及びそれらの混合物からなる群より選択される補助洗浄剤をさらに含む、請求項１に記載の方法。
【手続補正書】
【提出日】平成16年7月5日(2004.7.5)
【手続補正１】
【補正対象書類名】特許請求の範囲
【補正対象項目名】全文
【補正方法】変更
【補正の内容】
【特許請求の範囲】
【請求項１】
車輪用タイヤ（１０）であって、
−  少なくとも１つのカーカスプライ（１１）を含むカーカス構造であって、前記カーカスプライ（１１）の両端が１対の環状補強要素（１２）に固定され、前記環状補強要素（１２）の各々が、前記タイヤ（１０）の個々のビード（１３）内に組み込まれ、少なくとも１本のコードを含む、カーカス構造と、
−  前記カーカス構造の周方向周囲に延在するトレッドバンド（１５）と、
−  前記カーカス構造と前記トレッドバンド（１５）との間に周方向に位置するベルト構造（１７）と、
−  前記カーカス構造の軸方向に対向する位置に付与される少なくとも１対の側壁（１６）とを備え、
前記コードが、少なくとも１本の予備成形金属糸状要素（２２）を含むことを特徴とするタイヤ（１０）。
【請求項２】
前記少なくとも１本の金属糸状要素（２２）が、０．９９以下の予備成形比で予備成形される、請求項１に記載のタイヤ（１０）。
【請求項３】
前記予備成形比が０．９８以下である、請求項２に記載のタイヤ（１０）。
【請求項４】
前記予備成形比が０．７５〜０．９８の範囲である、請求項３に記載のタイヤ（１０）。
【請求項５】
前記予備成形比が０．８５〜０．９５の範囲である、請求項４に記載のタイヤ（１０）。
【請求項６】
前記少なくとも１本の金属糸状要素（２２）が、鋼、アルミニウムまたはアルミニウム合金を含む金属から構成される、請求項１に記載のタイヤ（１０）。
【請求項７】
前記少なくとも１本の金属糸状要素（２２）が、黄銅、亜鉛、亜鉛／マンガン合金、亜鉛／コバルト合金、亜鉛／コバルト／マンガン合金を含む群から選択されるコーティングを有する、請求項１に記載のタイヤ（１０）。
【請求項８】
前記少なくとも１本の金属糸状要素（２２）が、波形を有するように予備成形される、請求項１に記載のタイヤ（１０）。
【請求項９】
前記少なくとも１本の金属糸状要素（２２）が、共面タイプの変形で予備成形される、請求項８に記載のタイヤ（１０）。
【請求項１０】
前記波形がジグザグタイプである、請求項８に記載のタイヤ（１０）。
【請求項１１】
前記波形がほぼ正弦タイプである、請求項８に記載のタイヤ（１０）。
【請求項１２】
前記ほぼ正弦形態が２．５ｍｍ〜３０ｍｍの波長（Ｐ）を有する、請求項１１に記載のタイヤ（１０）。
【請求項１３】
前記波長（Ｐ）が５ｍｍ〜２５ｍｍの範囲である、請求項１２に記載のタイヤ（１０）。
【請求項１４】
前記ほぼ正弦形態が０．１２ｍｍ〜１ｍｍの波の振幅（Ｈ）を有する、請求項１１に記載のタイヤ（１０）。
【請求項１５】
前記波の振幅（Ｈ）が０．１４ｍｍ〜０．６０ｍｍである、請求項１４に記載のタイヤ（１０）。
【請求項１６】
前記波形が螺旋状である、請求項８に記載のタイヤ（１０）。
【請求項１７】
前記コードが、前記予備成形金属糸状要素（２２）と撚り合わされた少なくとも１本の非予備成形糸状要素を含む、請求項１に記載のタイヤ（１０）。
【請求項１８】
前記少なくとも１本の非予備成形糸状要素が紡織繊維タイプである、請求項１７に記載のタイヤ（１０）。
【請求項１９】
前記少なくとも１本の予備成形金属糸状要素（２２）が、０．０５ｍｍ〜０．８０ｍｍの直径を有する、請求項１に記載のタイヤ（１０）。
【請求項２０】
前記直径が０．１０ｍｍ〜０．５０ｍｍである、請求項１９に記載のタイヤ（１０）。
【請求項２１】
少なくとも１本のコードを含む、車輪のタイヤ（１０）用の環状補強要素（１２）であって、前記少なくとも１本のコードが少なくとも１本の予備成形金属糸状要素（２２）を含むことを特徴とする環状補強要素（１２）。
【請求項２２】
互いに軸方向および半径方向に隣接する複数の巻回を含み、前記少なくとも１本の予備成形金属糸状要素（２２）を螺旋状に巻き付けることにより得られる、請求項２１に記載の環状補強要素（１２）。
【請求項２３】
少なくとも１本の非予備成形糸状要素を含む、請求項２１に記載の環状補強要素（１２）。
【請求項２４】
前記少なくとも１本の非予備成形糸状要素が紡織繊維タイプである、請求項２３に記載の環状補強要素（１２）。
【請求項２５】
前記少なくとも１本の予備成形金属糸状要素（２２）が０．０５ｍｍ〜０．８０ｍｍの直径を有する、請求項２１に記載の環状補強要素（１２）。
【請求項２６】
前記直径が０．１０ｍｍ〜０．５０ｍｍである、請求項２５に記載の環状補強要素（１２）。
【請求項２７】
金属糸状要素（２２）の数が２本〜２７本である、請求項２１に記載の環状補強要素（１２）。
【請求項２８】
前記金属糸状要素（２２）の撚り線ピッチが２．５ｍｍ〜３０ｍｍである、請求項２１に記載の環状補強要素（１２）。
【請求項２９】
前記撚り線ピッチが５ｍｍ〜２５ｍｍである、請求項２８に記載の環状補強要素（１２）。
【手続補正書】
【提出日】平成16年6月23日(2004.6.23)
【手続補正１】
【補正対象書類名】特許請求の範囲
【補正対象項目名】全文
【補正方法】変更
【補正の内容】
【特許請求の範囲】
【請求項１】
タイヤの両側で、リムシート上に装着されるように設計されたベースを備えたビード内に係止されるカーカス型の少なくとも１つの補強構造体と、クラウン補強体とを有し、各ビードは側壁により半径方向外方に延長されており、側壁は半径方向外方でトレッドに出合い、補強構造体はビードから側壁へと周方向に延びておりかつタイヤのクラウンの少なくとも一部に亘って不連続であり、前記クラウン補強体は一方ではクラウンの実質的に全幅を覆う少なくとも１つの第一補強構造体を備え、該第一補強構造体の各々は、一方で第一補強構造体の中央部分を、他方で該中央部分の軸線方向両側に配置されかつ第一補強構造体の側方部分を形成する２つの別々のゾーンに分割され、前記中央部分は、側方部分および半径方向に間隔を隔てたゾーンの連結を確保する結合ゾーンより半径方向内方に配置され、第一補強構造体の中央部分に実質的に隣接して半径方向外方に配置された中央の周方向補強体の少なくとも１つの実質的に軸線方向の列を更に有することを特徴とするタイヤ。
【請求項２】
側方の周方向補強体の少なくとも１つの実質的に軸線方向の列が、タイヤの両側に配置されていることを特徴とする請求項１記載のタイヤ。
【請求項３】
前記列は、第一補強構造体の側方部分の半径方向外方に配置されていることを特徴とする請求項２記載のタイヤ。
【請求項４】
前記列は、第一補強構造体の側方部分の半径方向内方に配置されていることを特徴とする請求項２記載のタイヤ。
【請求項５】
前記中央の周方向補強体の列は、前記第一補強構造体の中央部分の幅と実質的に同じ幅に亘って延びていることを特徴とする請求項１記載のタイヤ。
【請求項６】
前記中央の周方向補強体の半径方向位置は、該周方向補強体がカーカス型補強構造体の端部間でオーバーラップできるようにすることを特徴とする請求項１記載のタイヤ。
【請求項７】
前記クラウンは、半径方向内方の過大厚さが設けられたゾーンを有することを特徴とする請求項１記載のタイヤ。
【請求項８】
前記過大厚さが設けられたクラウンゾーンは、タイヤの内壁をより小さい半径にかつ軸線方向内方に延びるように切換えることを示す少なくとも１つの遷移ゾーンにより軸線方向に画定されていることを特徴とする請求項７記載のタイヤ。
【請求項９】
前記第一補強構造体に対して半径方向外方に配置された第二補強構造体を更に有することを特徴とする請求項１記載のタイヤ。
【請求項１０】
前記第一および／または第二補強構造体は、周方向に対して０°以外の角度で全体的に配置されたコード要素を有することを特徴とする請求項１記載のタイヤ。
【請求項１１】
前記第一補強構造体に対して半径方向外方に配置された周方向のゴム配合物ゾーンを更に有することを特徴とする請求項１記載のタイヤ。
【請求項１２】
少なくとも１つの実質的に中央の特に深い中空部を更に有することを特徴とする請求項１記載のタイヤ。
【請求項１３】
前記カーカス型補強構造体は、タイヤの両側のうちの少なくとも一方の側で二重になっていることを特徴とする請求項１記載のタイヤ。
【手続補正書】
【提出日】平成16年4月2日(2004.4.2)
【手続補正１】
【補正対象書類名】明細書
【補正対象項目名】００５３
【補正方法】変更
【補正の内容】
【００５３】
次のフリーテキストが配列表に含まれる：
配列番号９：人工的配列の説明： さらに別の制限部位を有するＨ鎖用フォワードプライ
マー
［配列表］
2005507373.tif 000001
2005507373.tif 000002
2005507373.tif 000003
【手続補正書】
【提出日】平成17年4月4日(2005.4.4)
【手続補正１】
【補正対象書類名】特許請求の範囲
【補正対象項目名】全文
【補正方法】変更
【補正の内容】
【特許請求の範囲】
【請求項１】
メタ−ジイソプロピルベンゼンの選択的な生成方法であって、該方法は以下の工程を含む：
（ａ）メタ−及びオルト−ジイソプロピルベンゼンを含むＣ９＋芳香族炭化水素供給原料とベンゼンを転化条件下でゼオライトベータ、モルデナイト及び１２．４±０．２５、６．９±０．１５、３．５７±０．０７及び３．４２±０．０７オングストロームの最大ｄ−間隔（ｄ−ｓｐａｃｉｎｇ）を含むＸ線回折パターンを有する多孔質結晶性無機酸化物質からなる群より選択されるモレキュラーシーブを含んだ触媒を用いて接触させる工程であって、該接触工程は供給原料中のオルト−ジイソプロピルベンゼンを選択的に転化してオルト−ジイソプロピルベンゼンに対するメタ−ジイソプロピルベンゼンの比が該供給原料における比よりも大きい排出物を生成する；及びそして
（ｂ）該排出物を分離領域に送って該排出物からメタ−ジイソプロピルベンゼンが豊富な生成物を回収する工程。
【手続補正書】
【提出日】平成17年3月8日(2005.3.8)
【手続補正１】
【補正対象書類名】特許請求の範囲
【補正対象項目名】全文
【補正方法】変更
【補正の内容】
【特許請求の範囲】
【請求項１】
ＥＵＶリソグラフィー用ガラス基板を製造する方法であって、
シリカ前駆体とチタニア前駆体の混合物をバーナに供給することにより、シリカとチタニアの粒子を合成し、
前記バーナに対して堆積面を回転させ、平行移動させながら、前記粒子を該堆積面上に連続的に堆積させることにより、多孔質プリフォームを成長させ、
前記多孔質プリフォームを緻密なＥＵＶリソグラフィー用ガラスに固結し、該固結した緻密なＥＵＶリソグラフィー用ガラスを均質なＥＵＶリソグラフィー用ガラス基板に形成する、
各工程を有してなる方法。
【請求項２】
前記堆積面の平行移動速度を、堆積中の前記多孔質プリフォームと前記バーナとの間の距離を実質的に一定に維持するように調節することを特徴とする請求項１記載の方法。
【請求項３】
前記多孔質プリフォームを緻密なガラスに固結する工程が、該多孔質プリフォームを１２００から１９００℃の範囲の温度に加熱する工程を含むことを特徴とする請求項１記載の方法。
【請求項４】
前記多孔質プリフォームを、固結前に加熱されたハロゲン化物含有雰囲気に露出することにより、該多孔質プリフォームを脱水する工程をさらに含むことを特徴とする請求項１記載の方法。
【請求項５】
前記加熱されたハロゲン化物含有雰囲気が、塩素、フッ素およびそれらの混合物からなる群より選択され、前記加熱されたハロゲン化物含有雰囲気の温度が９００から１１００℃の範囲にあることを特徴とする請求項４記載の方法。
【請求項６】
前記ガラスが２から１２重量％のチタニアを含有することを特徴とする請求項１記載の方法。
【請求項７】
低ＯＨ含有量のＥＵＶリソグラフィー用ガラス基板を製造する方法であって、
シリカ前駆体とチタニア前駆体の混合物をバーナに供給することにより、シリカとチタニアの粒子を合成し、
前記バーナに対して堆積面を回転させ、平行移動させながら、前記粒子を該堆積面上に連続的に堆積させることにより、多孔質プリフォームを成長させ、
前記多孔質プリフォームを加熱されたハロゲン化物含有雰囲気に露出することにより、該多孔質プリフォームを脱水し、
前記脱水された多孔質プリフォームを緻密なＥＵＶリソグラフィー用ガラスに固結し、該固結した緻密なＥＵＶリソグラフィー用ガラスを均質なＥＵＶリソグラフィー用ガラス基板に形成する、
各工程を有してなる方法。
【請求項８】
前記加熱されたハロゲン化物含有雰囲気が、塩素、フッ素およびそれらの混合物からなる群より選択されることを特徴とする請求項７記載の方法。
【請求項９】
前記堆積面の平行移動速度を、堆積中の前記多孔質プリフォームと前記バーナとの間の距離を実質的に一定に維持するように調節することを特徴とする請求項７記載の方法。
【請求項１０】
前記多孔質プリフォームを緻密なガラスに固結する工程が、該多孔質プリフォームを１２００から１９００℃の範囲の温度に加熱する工程を含むことを特徴とする請求項７記載の方法。
【請求項１１】
請求項１または７記載の方法により製造された、遠紫外線リソグラフィー用マスクブランク。